(57)【特許請求の範囲】
【請求項１】
上部が開口した所定の収容領域を有し、該収容領域内に複数の被取得物品を収容，保持する保持手段と、
棒状の部材であって、遊戯者によりその一方端が把持されて、操作される操作杆と、
中空の管体からなり、前記操作杆の他方端部から下方に垂下するように、該他方端部に取り付けられ、少なくとも下端部に開口部が形成された垂下部材と、
前記垂下部材の中空部内から気体を吸引，除去して該中空部内を負圧にすることにより、前記垂下部材の下端開口部に吸引力を生じさせ、前記被取得物品を該開口部に吸着可能な状態とする吸引力付与手段と、
前記垂下部材の下端開口部に前記被取得物品が吸着されたか否かを検出する吸着検出手段を備え、該吸着検出手段によって前記被取得物品の吸着が検出された後、前記垂下部材の下端開口部に吸着された被取得物品の吸着状態を変動させる変動付与手段とを設けて構成したことを特徴とする遊戯装置。
【請求項２】
前記変動付与手段を、
前記吸着検出手段と、
前記吸着検出手段によって前記被取得物品の吸着が検出された後、前記垂下部材中空部内の圧力を変動させる圧力制御手段とから構成したことを特徴とする請求項１記載の遊戯装置。
【請求項３】
前記圧力制御手段が、
前記吸着検出手段によって前記被取得物品の吸着が検出された時点から一定時間経過した後に、前記垂下部材中空部内の圧力を前記吸着の不可能な圧力に変動させるように構成されてなる請求項２記載の遊戯装置。
【請求項４】
前記圧力制御手段が、
前記垂下部材中空部内の圧力を周期的又は非周期的に変化させるように構成されてなる請求項２記載の遊戯装置。
【請求項５】
前記変動付与手段を、
前記吸着検出手段と、
前記操作杆又は垂下部材の内のいずれか１以上に設けられ、振動を生成して前記操作杆及び垂下部材に付与する振動付与手段と、
前記吸着検出手段によって前記被取得物品の吸着が検出された後、前記振動付与手段を作動させて振動を付与せしめる振動制御手段とから構成したことを特徴とする請求項１記載の遊戯装置。
【請求項６】
霧状の浮遊可視粒体を生成し、生成した浮遊可視粒体を前記保持手段の収容領域内に充満させる霧生成手段を更に設けて構成したことを特徴とする請求項１乃至５記載のいずれかの遊戯装置。
【請求項７】
前記保持手段内の被取得物品を流動させる流動手段を更に設けて構成したことを特徴とする請求項１乃至６記載のいずれかの遊戯装置。
【発明の詳細な説明】
【０００１】
【発明の属する技術分野】
本発明は、遊戯者が、保持部内に収容，保持された被取得物品を取得して遊ぶように構成された遊戯装置に関する。
【０００２】
【従来の技術及び発明が解決しようとする課題】
従来、上記遊戯装置の一例として、所定の収容領域を有し、この収容領域内に複数の被取得物品を収容，保持する保持容器と、この保持容器の上方に、上下方向及び水平２方向に移動可能に配設され、閉じた際に被取得物品を把持可能となった把持ハンドと、この把持ハンドの前記移動を操作するための操作釦などから構成された遊戯装置が知られている。
【０００３】
尚、前記保持容器内には外部に通じる排出口が設けられており、前記把持ハンドによって把持された被取得物品が、この排出口から外部に取り出されるようになっている。また、前記被取得物品は、球体状の透明なカプセルと、このカプセル内に収容されたキャラクタグッズなどの物品からなる。
【０００４】
この遊戯装置によれば、遊戯者が、前記操作釦を操作し、前記把持ハンドを水平２方向に移動させて、所望の被取得物品を把持可能と判断される位置の上方に、当該把持ハンドを移動させた後、前記操作釦の操作を停止すると、次に、把持ハンドが自動的に降下してこれが閉じられる。この後、把持ハンドは、自動的に上昇して前記排出口の上方に水平移動した後、当該把持ハンドが開かれる。この時、把持ハンドに被取得物品が把持されていれば、被取得物品が排出口に投入されて、保持容器の外に取り出される。尚、この遊戯装置における操作釦の操作は、１回に限定されている。
【０００５】
このように、この遊戯装置では、被取得物品を取得するための操作が１回に限定されているので、遊戯者がスリリングな遊戯を楽しむことができるとともに、遊戯者に、被取得物品を取得するという趣味的且つ物質的な満足感を与えることができる。
【０００６】
その一方、遊戯者自身は遊戯装置の外にいてこれを操作するだけであるので、遊戯者自身が体感することのできる要素がなく、臨場感に欠けるという面がある。そこで、本発明者は、スリリングな遊戯を楽しむことができるとともに、趣味的且つ物質的な満足感を与えることができるといった上記従来の遊戯装置が備える作用，効果に加えて、遊戯者自身が臨場感を体感することができる遊戯装置を開発すべく鋭意研究を重ねた結果、本発明を成すに至ったものである。
【０００７】
斯して、本発明は、スリリングな遊戯を楽しむことができるとともに、趣味的且つ物質的な満足感を与えることができるだけでなく、遊戯者自身が臨場感を体感することができるようになった遊戯装置の提供をその目的とする。
【０００８】
【課題を解決するための手段及びその効果】
上記目的を達成するための本発明は、上部が開口した所定の収容領域を有し、該収容領域内に複数の被取得物品を収容，保持する保持手段と、
棒状の部材であって、遊戯者によりその一方端が把持されて、操作される操作杆と、
中空の管体からなり、前記操作杆の他方端部から下方に垂下するように、該他方端部に取り付けられ、少なくとも下端部に開口部が形成された垂下部材と、
前記垂下部材の中空部内から気体を吸引，除去して該中空部内を負圧にすることにより、前記垂下部材の下端開口部に吸引力を生じさせ、前記被取得物品を該開口部に吸着可能な状態とする吸引力付与手段と、
前記垂下部材の下端開口部に前記被取得物品が吸着されたか否かを検出する吸着検出手段を備え、該吸着検出手段によって前記被取得物品の吸着が検出された後、前記垂下部材の下端開口部に吸着された被取得物品の吸着状態を変動させる変動付与手段とを設けて構成したことを特徴とする遊戯装置に係る。
【０００９】
この発明によれば、吸引力付与手段によって、垂下部材の下端開口部に吸引力が生じているので、遊戯者は、操作杆を把持して垂下部材の位置を適宜移動させ、その下端開口部を、保持手段内の所望の被取得物品に近づけることにより、当該被取得物品を前記下端開口部に吸着させ、これを取得するという遊戯を楽しむことができる。
【００１０】
その際、垂下部材の下端開口部に被取得物品が吸着され、吸着検出手段によって被取得物品の吸着が検出された後、変動付与手段が、垂下部材の下端開口部に吸着された被取得物品の吸着状態を変動させるようになっているので、この吸着状態の変動自体により、或いはその間に前記操作杆や垂下部材に外乱振動が付与されるなどした場合に、垂下部材の下端開口部に吸着された被取得物品の吸着が解除されてこれが脱落することがあり、上記取得遊戯の難易度が高まる。これにより、遊戯者はスリリングで趣味感にあふれた遊戯を楽しむことができる。
【００１１】
斯くして、この遊戯装置によれば、遊戯者自身が、操作杆を操作して被取得物品を取得するという魚釣りに似た遊戯を楽しむことができ、臨場感に溢れた遊戯を楽しむことができるとともに、趣味的且つ物質的な満足感をも遊戯者に与えることができる。
【００１２】
尚、前記被取得物品を、遊戯者が極めて強い感心を示すキャラクタグッズなどの景品にすれば、これを取得することができるという遊戯者の趣味的且つ物質的な満足感を更に増大させることができる。
【００１３】
尚、前記変動付与手段は、これを、前記吸着検出手段と、前記吸着検出手段によって前記被取得物品の吸着が検出された後、前記垂下部材中空部内の圧力を変動させる圧力制御手段とから構成することができる。被取得物品が吸着された後に、垂下部材中空部内の圧力を変動させることで、垂下部材の下端開口部に生じる吸引力を変動させることができ、吸引力が弱まった際に被取得物品の自重によって、或いは弱まったときに操作杆や垂下部材に付与される外乱振動によって、垂下部材の下端開口部に吸着された被取得物品が脱落することが起こり得る。
【００１４】
また、前記圧力制御手段は、これが、前記吸着検出手段によって前記被取得物品の吸着が検出された時点から一定時間経過した後に、前記垂下部材中空部内の圧力を前記吸着の不可能な圧力に変動させるように構成されたものであっても良い。被取得物品を垂下部材の下端開口部に吸着させた遊戯者は、当該被取得物品を前記保持手段の収容領域外に移動させることで、これを保持手段から取り出すことができるが、上記のように、被取得物品が吸着された後、一定時間経過後に垂下部材中空部内の圧力を吸着不可能な圧力とすることで、遊戯者は、当該時間内に被取得物品を保持手段の収容領域外に移動させなければ、被取物品が脱落してこれを取り出せなくなる。これにより、当該遊戯をより難易度の高いものとして、スリリングなものとすることができる。
【００１５】
また、前記圧力制御手段は、これが、前記垂下部材中空部内の圧力を周期的又は非周期的に変化させるように構成されたものであっても良い。このようにすれば、被取得物品の吸着後に、垂下部材の下端開口部に生じた吸引力を周期的又は非周期的に弱めたり強めたりすることができ、これによっても、垂下部材の下端開口部への被取得物品の吸着度合いが変化せしめられ、当該遊戯をより難易度の高いものとして、スリリングなものとすることができる。
【００１６】
また、前記変動付与手段は、これを、前記吸着検出手段と、前記操作杆又は垂下部材の内のいずれか１以上に設けられ、振動を生成して前記操作杆及び垂下部材に付与する振動付与手段と、前記吸着検出手段によって前記被取得物品の吸着が検出された後、前記振動付与手段を作動させて振動を付与せしめる振動制御手段とから構成することができる。
【００１７】
このようにすれば、垂下部材の下端開口部に被取得物品が吸着された後に、操作杆及び垂下部材に振動が付与されるため、これが被取得物品の吸着部に伝播されて、当該被取得物品が脱落し易くなるとともに、被取得物品が吸着された後、遊戯者にも振動が伝播されるため、遊戯者はあたかも実際に魚が釣れたかのごとき感触を体感することができ、当該遊戯がスリリング且つより臨場感に溢れたものとなる。
【００１８】
また、前記振動付与手段により生成される振動に強弱をつけるようにすれば、より実際の魚釣りに似た感触を遊戯者に体感させることができる。
【００１９】
また、霧状の浮遊可視粒体を生成し、生成した浮遊可視粒体を前記保持手段の収容領域内に充満させる霧生成手段を設けると、遊戯者が、保持手段内の被取得物品を視覚し難くなり、当該遊戯の難易度をより高めることができ、当該遊戯をより趣味感の増したものとすることができる。尚、前記霧状の浮遊可視粒体は、これをグリコールやドライアイスなどから生成することができる。
【００２０】
また、前記保持手段内の被取得物品を流動させる流動手段を設けことによっても、垂下部材の下端開口部に被取得物品を吸着させ難くなり、当該遊戯の難易度を高めることができる。
【００２１】
【発明の実施の形態】
以下、本発明の具体的な実施形態について、添付図面に基づき説明する。図１は、本実施形態に係る遊戯装置の概略構成を示した斜視図である。
【００２２】
同図１に示すように、本例の遊戯装置１は、遊戯者Ｙが搭乗して遊戯を行うように構成された乗物装置１０と、外部と仕切られた取得空間Ｋを形成する仕切体２０と、この仕切体２０内に配設される容器であって、上部が開口した所定の収容領域を有し、この収容領域内に複数の被取得物品５を収容，保持する保持容器２５と、前記保持容器２５内の被取得物品５を取得するための取得装置３０などから構成される。
【００２３】
前記乗物装置１０は、遊戯者Ｙが乗り込んで着座する着座部１１と、この着座部１１の下方に設けられ、着座部１１を前後方向や左右方向などに傾斜及び／又は移動させる駆動装置１２などから構成される。尚、この駆動装置１２は、例えば、エアシリンダや油圧シリンダなどから構成される。
【００２４】
前記仕切体２０は、環状に形成された仕切部材２１と、この仕切部材２１上に設けられた複数の透明な仕切板２２とから構成される。前記仕切部材２１の外周面には、取出口２１ａが形成されるとともに、その内周面には、前記取出口２１ａと連通する投入口（図示せず）が形成されている。また、一部の前記仕切板２２には、前記取得装置３０が挿入される開口部２２ａが適宜形成されている。
【００２５】
図１及び図２に示すように、前記取得装置３０は、竿状をした部材であって、その一方端から他方端にかけて貫通した貫通孔３２の形成された操作杆３１と、この操作杆３１の中ほどに接続して、これを揺動自在に支持する支柱３９と、前記操作杆３１の貫通孔３２内に挿入されるとともに、その一方端部が操作杆３１の一方端から突き出て下方に垂下する垂下部材３４と、この垂下部材３４の下端部に設けられた半球状の吸盤３６と、この吸盤３６に前記被取得物品５を吸着可能な状態とする吸気ポンプ４０と、前記吸盤３６に吸着された前記被取得物品５の吸着状態を変動させる変動付与装置４１などから構成される。
【００２６】
前記操作杆３１は、その一方端部が前記仕切板２２の開口部２２ａから挿入されて、当該一方端部（先端部）及び前記垂下部材３４が前記取得空間Ｋ内の前記保持容器２５上方に位置するように前記支柱３９によって支持され、他方端には遊戯者Ｙが把持するための握り部３３が形成されており、遊戯者Ｙが握り部３３を把持して当該操作杆３１を揺動させることにより、その動作可能な範囲内において、前記先端部及び前記垂下部材３４を保持容器２５上方の任意位置に移動させることができるようになっている。但し、遊戯開始前及び遊戯終了後においては、前記操作杆３１は図示しない適宜固定手段によって固定され、これを揺動させることができないようになっている。
【００２７】
図２に示すように、前記垂下部材３４は中空部３５を有する管体からなり、例えば、ゴムや樹脂などから形成される。また、前記吸盤３６には、その外面側から内面側に貫通する貫通孔３７が形成され、この貫通孔３７が中空部３５に連通するように前記垂下部材３４の下端に固着されている。
【００２８】
前記吸気ポンプ４０は前記垂下部材３４の他方端部が接続されており、その中空部３５内の気体を吸引，除去してこの中空部３５内を負圧にすることにより、この中空部３５と連通した前記吸盤３６に吸引力を生じさせ、この吸盤３６に前記被取得物品５を吸着可能な状態とする。
【００２９】
前記変動付与装置４１は、例えば、前記中空部３５内の圧力を検出する圧力センサ４２と、この圧力センサ４２によって検出される圧力が所定の圧力よりも低くなったとき、その時点から一定時間が経過した後に、前記吸気ポンプ４０の作動を停止させ、停止後一定時間が経過した後に、再び、吸気ポンプ４０を作動させるように、前記吸気ポンプ４０の作動を制御する圧力制御部４３などから構成される。被取得物品５が吸盤３６に吸着されると、垂下部材３４の中空部３５内への外気の流入が無くなり、同中空部３５内の圧力が低下することになる。圧力制御部４３は、この圧力低下から被取得物品５の吸着を認識し、上記制御を行う。
【００３０】
以上のように構成された本例の遊戯装置１によれば、まず、遊戯者Ｙが前記乗物装置１０の着座部１１に乗り込んで着座した後、適宜操作を行うことにより、前記固定手段（図示せず）の規制が解除されて前記操作杆３１を自由に動かせるようになるとともに、前記吸気ポンプ４０が作動せしめられて、前記吸盤３６に吸引力が生じ、遊戯可能な状態となる。
【００３１】
次に、前記遊戯者Ｙが、前記操作杆３１の握り部３３を把持して、当該操作杆３１を揺動させて、前記吸盤３６を前記保持容器２５内に収容，保持された所望の被取得物品５に近づけると、前記吸気ポンプ４０によって生じせしめられた吸引力によって、当該被取得物品５が吸盤３６に吸着せしめられる。
【００３２】
このようにして、被取得物品５が吸盤３６に吸着されると、前記遊戯者Ｙは、操作杆３１を揺動させて、被取得物品５を前記投入口（図示せず）の上方に移動させ、被取得物品５を前記投入口（図示せず）に投入可能な状態とする。
【００３３】
一方、被取得物品５が吸盤３６に吸着されると、この吸着が圧力センサ４２を介して圧力制御部４３に認識され、その時点から一定時間が経過した後に、前記圧力制御部４３によって前記吸気ポンプ４０の作動が停止せしめられる。したがって、遊戯者Ｙが、吸着させた被取得物品５を前記時間内に投入口（図示せず）の上方に移動させなければ、吸気ポンプ４０の停止によって吸盤３６の吸引力が低下し、これにより同吸盤３６から被取得物品５が脱落して、当該被取得物品５を投入口（図示せず）に投入することができないこととなる。
【００３４】
他方、遊戯者Ｙが、吸着させた被取得物品５を前記時間内に投入口（図示せず）の上方に移動させることができた場合には、前記時間経過後に前記吸気ポンプ４０の作動が停止せしめられ、これにより同吸盤３６から被取得物品５が落下して前記投入口（図示せず）に投入され、これが保持容器２５内から外部に取り出される。
【００３５】
尚、前記吸気ポンプ４０はその停止後一定時間経過後に再び作動するようになっているので、遊戯者Ｙは、遊戯時間内であれば、その後も継続して当該遊戯を楽しむことができる。
【００３６】
また、当該遊戯中、前記駆動装置１２により前記着座部１１が前後方向や左右方向などに傾斜及び／又は移動せしめられる。
【００３７】
そして、遊戯開始後所定時間が経過すると遊戯終了となり、前記吸気ポンプ４０及び前記駆動装置１２が停止せしめられるとともに、前記操作杆３１が前記固定手段（図示せず）によって固定され、これを移動させることができないようになる。
【００３８】
このように、この遊戯装置１によれば、遊戯者Ｙ自身が、前記駆動装置１２によって傾斜，移動せしめられる乗物装置１０内に乗り込み、操作杆３１を操作して被取得物品５を取得するという魚釣りに似た遊戯を楽しむことができ、臨場感に溢れた遊戯を楽しむことができるとともに、趣味的且つ物質的な満足感をも遊戯者に与えることができる。
【００３９】
尚、前記被取得物品５を、遊戯者Ｙが極めて強い感心を示すキャラクタグッズなどの景品にすれば、これを取得することができるという遊戯者Ｙの趣味的且つ物質的な満足感を更に増大させることができる。
【００４０】
また、被取得物品５が吸着された後、一定時間経過後に吸気ポンプ４０を停止させて、吸盤３６から被取得物品５を脱落させるようにしており、遊戯者Ｙが、一定時間内に被取得物品５を投入口（図示せず）の上方に移動させなければ、これを取り出すことができないようになっているので、当該遊戯がより難易度の高いものとなり、遊戯者Ｙはよりスリリングな遊戯を楽しむことができる。
【００４１】
以上、本発明の一実施形態について説明したが、本発明の採り得る具体的な態様は、何らこれに限定されるものではない。
【００４２】
上述した例では、前記圧力センサ４２によって検出される圧力が低下した時点から一定時間が経過した後に、前記圧力制御部４３によって前記吸気ポンプ４０の作動を停止させるように構成したが、これに限られるものではなく、前記中空部３５の圧力を周期的又は非周期的に変化させるように、この圧力制御部４３によって、吸気ポンプ４０の作動を制御するように構成することもできる。
【００４３】
このようにすれば、被取得物品５の吸着後に、吸盤３６に生じた吸引力を周期的又は非周期的に弱めたり強めたりすることができ、このようにしても、吸盤３６への被取得物品５の吸着度合いを変化させることができ、当該遊戯をより難易度の高いものとして、スリリングなものとすることができる。
【００４４】
尚、この場合、遊戯者Ｙが、被取得物品５を前記投入口（図示せず）の上方に移動させた後に、例えば、適宜操作釦を押すことなどにより、前記吸気ポンプ４０の作動を停止させるように構成すれば、吸着した被取得物品５を前記投入口（図示せず）内に落下，投入させることができ、当該被取得物品５を保持容器２５内から外部に取り出すことができる。
【００４５】
また、前記変動付与装置４１は、これを、前記操作杆３１，垂下部材３４及び吸盤３６の内のいずれか１以上に設けられ、振動を生成して前記操作杆３１，垂下部材３４及び吸盤３６に付与する振動付与手段と、前記中空部３５の圧力を検出する圧力センサと、この圧力センサによって検出される圧力が低下した後、前記振動付与手段を作動させて振動を付与せしめる振動制御手段とから構成することもできる。
【００４６】
このようにすれば、吸盤３６に被取得物品５が吸着された後に、操作杆３１，垂下部材３４及び吸盤３６に振動が付与されるため、これが被取得物品５の吸着部に伝播されて、当該被取得物品５が脱落し易くなるとともに、被取得物品５が吸着された後、遊戯者Ｙにも振動が伝播されるため、遊戯者Ｙはあたかも実際に魚が釣れたかのごとき感触を体感することができ、当該遊戯がスリリング且つより臨場感に溢れたものとなる。更に、前記振動付与手段により生成される振動に強弱をつけるようにすれば、より実際の魚釣りに似た感触を遊戯者に体感させることができる。尚、前記振動付与手段は、これをバイブレータなどから構成すると良い。
【００４７】
また、上述した例では、遊戯者Ｙが乗物装置１０に乗り込むように構成したが、これに限られるものではなく、遊戯者Ｙが、前記取得空間Ｋの近傍に立って、遊戯を楽しむようにしても良い。
【００４８】
また、霧状の浮遊可視粒体を生成し、生成した浮遊可視粒体を前記保持容器２５内の収容領域内に充満させる霧生成手段を設けた構成としても良い。このようにすれば、遊戯者Ｙが、保持容器２５内の被取得物品５を視覚し難くなり、当該遊戯の難易度をより高めることができ、当該遊戯をより趣味感の増したものとすることができる。尚、前記霧状の浮遊可視粒体は、これをグリコールやドライアイスなどから生成することができる。
【００４９】
また、図３に示すように、前記保持容器２５内に収容，保持される被取得物品５を、気流により、或いは、保持容器２５の底部を回転させることなどによって、矢示方向に流動させる構成とすることもできる。また、前記保持容器２５内に水を張って、この水に被取得物品５を浮かべるようにしても良く、更にこの場合に、水流を生成して被取得物品５を矢示方向に流動させるようにしても良い。
【図面の簡単な説明】
【図１】        本発明の一実施形態に係る遊戯装置の概略構成を示した斜視図である。
【図２】        本実施形態の取得装置を一部ブロック図で示した断面図である。
【図３】        本発明の他の実施形態に係る保持手段を説明するための説明図である。
【符号の説明】
１    遊戯装置
５    被取得物品
１０  乗物装置
２０  仕切体
２５  保持容器
３０  取得装置
３１  操作杆
３２  貫通孔
３３  握り部
３４  垂下部材
３５  中空部
３６  吸盤
３７  貫通孔
４０  吸気ポンプ
４１  変動付与装置
４２  圧力センサ
４３  圧力制御部
Ｋ    取得空間
Ｙ    遊戯者
【図１】
0003939999.tif 000002
【図２】
0003939999.tif 000003
【図３】
0003939999.tif 000004